(57)【要約】      （修正有）【課題】食品単体では、その食品に設定されたメッセージを読み取ることができないが、その食品に間接的な働きかけをすると、そのメッセージが読み取ることができる発光玩具を提供する。【解決手段】棒部２０と一体に成形された板状部２１とからなる導光性を有する表示体Ｂと、該表示体の棒部２０を差し込む差込孔１３の形成された玩具本体Ａとから構成され、上記板状部２１の前面には文字や図柄などの視覚情報２３が刻印され、上記玩具本体Ａの内部には上記差込孔１３に差し込まれた棒部２０に対向して発光する発光手段５を備え、上記表示体Ｂの少なくとも前面は透光性を有し、上記発光手段５の発光時には上記視覚情報２３が表示体Ｂの前面から視認できるようにした。【選択図】図２
0003116733.tif 000002
【実用新案登録請求の範囲】
【請求項１】
以下の要件を備えることを特徴とする発光玩具。
（イ）上記発光玩具は棒部と該棒部と一体に成形された板状部とからなる導光性を有する表示体と、該表示体の棒部を差し込む差込孔の形成された玩具本体とから構成されること
（ロ）上記板状部の前面には文字や図柄などの視覚情報が刻印されていること
（ハ）上記玩具本体の内部には上記差込孔に対向して発光する発光手段を備えること
（ニ）上記表示体の少なくとも前面は透光性を有すること
【請求項２】
以下の要件を備えることを特徴とする、請求項１記載の発光玩具
（イ）前記板状部の前面と後面とはそれぞれ板状部よりやや大きな相似形の飴部材で覆われ、該飴部材は上記板状部の前面を覆う第１の飴部材と、後面を覆う第２の飴部材とで構成されていること
（ロ）上記第１の飴部材は透光性を有し、第２の飴部材は不透光性若しくは第１の飴部材より透光性が低いこと
【請求項３】
前記板状部の前面に形成された視覚情報はドットにより構成されている、請求項１又は２記載の発光玩具
【請求項４】
前記板状部には前記棒部の近傍に逆三角形状の開口部を設けた、請求項１、２又は３記載の発光玩具。
【考案の詳細な説明】
【技術分野】
【０００１】
本考案は、発光玩具、詳しくは玩具本体に設けた発光手段が発光すると、この玩具本体に差し込んだ表示体に形成された視覚情報が見えるようにした発光玩具に関するものである。
【背景技術】
【０００２】
従来、食品でメッセージを相手に伝える方法としてバースデーケーキが一般的に知られているが、持ち運びに気をつけなければならなかったり、管理に気を遣ったりしなければならないため、簡単にメッセージを伝えることができるようにした文字形菓子の詰め合わせセットが提案されている（例えば、特許文献１）。この考案は文字形をした菓子を任意の言葉や文章にして箱に詰め合わせたものである。
【特許文献１】実開平６−５４８４号公報
【考案の開示】
【考案が解決しようとする課題】
【０００３】
本考案が解決しようとする問題点は、上述の文字形菓子の詰め合わせセットは、従来のバースデーケーキなどと同じように、オリジナルのメッセージを作ることは可能であるが、一見してそのメッセージが読み取れてしまう点であった。
【０００４】
本考案は、上記問題点を解決し、食品単体では、その食品に設定されたメッセージを読み取ることができないが、その食品に間接的な働きかけをすると、そのメッセージが読み取ることができる発光玩具を提供することを課題とする。
【課題を解決するための手段】
【０００５】
前記課題を解決するために本考案に係る発光玩具は、以下の要件を備えることを特徴とする。
（イ）上記発光玩具は棒部と該棒部と一体に成形された板状部とからなる導光性を有する表示体と、該表示体の棒部を差し込む差込孔の形成された玩具本体とから構成されること
（ロ）上記板状部の前面には文字や図柄などの視覚情報が刻印されていること
（ハ）上記玩具本体の内部には上記差込孔に対向して発光する発光手段を備えること
（ニ）上記表示体の少なくとも前面は透光性を有すること
なお、前記発光玩具は以下の要件を備えることが好ましい。
（イ）前記板状部の前面と後面とはそれぞれ板状部よりやや大きな相似形の飴部材で覆われ、該飴部材は上記板状部の前面を覆う第１の飴部材と、後面を覆う第２の飴部材とで構成されていること
（ロ）上記第１の飴部材は透光性を有し、第２の飴部材は不透光性若しくは第１の飴部材より透光性が低いこと
また、前記板状部の前面に形成された視覚情報をドットにより構成し、発光手段の非発光時には文字や図柄が見えにくく、発光手段の発光時には文字や図柄が見やすくなるようにすればよい。
【０００６】
さらに、前記板状部には前記棒部の近傍に逆三角形状の開口部を設け、発光手段の光が板状部内に拡散するようにすることが好ましい。
【考案の効果】
【０００７】
請求項１の考案によれば、玩具本体に表示体の棒部を差し込み、玩具本体の発光手段を発光させることにより表示体に設けた文字や絵柄を見えるようにしたので、明かりのないところでも相手にメッセージを伝えることができる発光玩具を提供することができる。
【０００８】
請求項２の考案によれば、第１の飴部材を透光性を有し、第２の飴部材を不透光性を有するようにしたので、発光手段の発光時に裏側からは文字や図柄が視認できないようにしたので、特に文字は表側からしか読むことができず、メッセージを正しく伝えることができるようにした。
【０００９】
請求項３の考案によれば、視覚情報を形成する刻印をドットで構成することにより、発光手段の非発光時には文字や図柄が認識しにくいが、発光手段の発光時にはドット単位で光るので文字や図柄を容易に認識することができる。
【００１０】
請求項４の考案によれば、発光手段の光が板状部内に拡散するようにしたので、文字や絵柄がより視認しやすくなる。
【考案を実施するための最良の形態】
【００１１】
図１は、本考案に係る発光玩具の一例を示し、この発光玩具は玩具本体Ａと、表示体Ｂとから構成されている。
【００１２】
玩具本体Ａは片手で握ることができる大きさの棒状部材で、本考案では人形の体を模して形成されている（図１（ａ）参照）。
【００１３】
この玩具本体Ａは、図２（ａ）及び図３に示すように、前ケース１と後ケース２とで構成された筐体３内に、ボタン電池４と、発光手段であるＬＥＤ５と、タクトスイッチ６と、タクトスイッチ６のＯＮ／ＯＦＦに基づいて上記ＬＥＤ５の点灯を制御する制御部７がマウントされた回路基板８とが収容され、筐体３の上部の筒状の開口部９には表示体Ｂを保持する保持部１０が嵌め合わされている。
【００１４】
上記タクトスイッチ６は、前ケース１に形成された開口部１１から洋服のボタンを模して先端が突出した押しボタン１２（図１（ａ）、図３参照）を押し操作することによりＯＮするようになっている。
【００１５】
保持部１０は中央に差込孔１３が形成された筒状部材で、両側面にはそれぞれ２つのスリット１４により外方に撓む撓み片１５が形成されている。この撓み片１５は内面に係合凸部１６が突出して形成され、後述する表示体Ｂの棒部２０に形成された係合凹部２６が係合し、保持部１０に差し込んだ棒部２０が容易に抜けないようにするとともに、棒部２０の下端が上記ＬＥＤ５の直近で安定して保持できるようになっている。
【００１６】
図４は、発光玩具の電気的構成を説明するブロック図で、タクトスイッチ６のＯＮ／ＯＦＦにより発光手段であるＬＥＤ５の点灯状態を制御部７が制御するように構成されている。この制御部７は制御プログラムを記憶したメモリを内蔵するプログラマブルワンチップＣＰＵで構成され、タクトスイッチ６のＯＮのさせかたでＬＥＤ５の点灯状態が制御できるようにプログラミングされている。本考案では、タクトスイッチ６が１回ＯＮするとＬＥＤ５が点灯し、２回連続してＯＮするとＬＥＤ５が点滅し、３回連続してＯＮするとＬＥＤ５が消灯するようにプログラミングされている。
【００１７】
表示体Ｂは、丸棒状の棒部２０と、この棒部２０の上端に連接して形成された円形の板状部２１と、板状部２１を前後から挟むように取着された飴部材２２で構成されている。
【００１８】
上記棒部２０と板状部２１とはアクリル樹脂などの導光性を有する樹脂で一体に成形されているもので、上記板状部２１の前面には文字や図柄などの視覚情報２３が刻印され、視覚情報２３の下方の棒部２０の近傍には逆三角形状の開口部２４が形成されている。この開口部２４は頂点２４ａが上記棒部２０の中心の延長線上に対応するように形成されている。
【００１９】
上記視覚情報２３はドット状の凹部２５で構成され、棒部２０の下端に光を当てたとき、棒部２０で導かれて板状部２１に進入した光は開口部２４の壁面で反射して板状部２１内に拡散するようになっており、拡散した光は凹部２５に当たって外方に拡散し、凹部２５の集合から文字や図柄が視認できるようになっている。
【００２０】
なお、棒部２０には上記保持部１０の撓み片１５に形成された係合凸部１６に係合する係合凹部２６が形成されている。この係合凹部２６は棒部２０の下方の外側面に周設された凹溝で構成されている。
【００２１】
そして、上記板状部２１の前後に固定される飴部材２２は板状部２１の前面を覆う第１の飴部材２２ａと、板状部２１の後面を覆う第２の飴部材２２ｂとからなり、第１の飴部材２２ａは透光性を有し、第２の飴部材２２ｂは不透光性若しくは第１の飴部材２２ａよりも透光性が低くなるように形成されている。
【００２２】
本考案では、第１の飴部材２２ａはリンゴやイチゴのフルーツ味で前面には人形の顔を模して形成された口と目とが凹部２７で形成され、外側から当たる光で発生する陰影で目と口とが視認できるようになっており、第２の飴部材２２ｂはヨーグルト味で形成され、ヨーグルト味とフルーツ味とがミックスして楽しめるようになっている。
【００２３】
次に、上記構成の発光玩具の使用態様について説明する。先ず、図５（ａ）に示すように、表示体Ｂの棒部２０を玩具本体Ａの保持部１０に差し込む。この時、棒部２０の係合凹部２６が保持部１０の撓み片１５に形成された係合凸部１６に係合するまで差し込む。係合凹部２６が係合凸部１６に係合した状態では、表示体Ｂが玩具本体Ａから容易に抜けることのないように確実に保持されるとともに、棒部２０の下端がＬＥＤ５の先端に確実に対応するようになっている。
【００２４】
玩具本体Ａに表示体Ｂをセットした状態では、表示体Ｂの第１の飴部材２２ａには目と口とが凹部２７で形成されているので、玩具本体Ａが人形の体の部分を、表示体Ｂが人形の顔の部分を構成するようになっている
この状態では、第１の飴部材２２ａに凹部２７で形成された目と口とが見えるだけであるが、洋服のボタンを模して配置された押しボタン１２を押し操作すると、タクトスイッチ６がＯＮするので、制御部７はＬＥＤ５を点灯又は点滅させる。ＬＥＤ５が発光すると、その光は棒部２０で導かれ板状部２１に案内され、板状部２１に到達した光は逆三角形状の開口部２４で拡散し、文字や図柄を構成する凹部２５で拡散するので、図５（ｂ）に示すように、第１の飴部材２２ａの前面に形成された目と口とからなる凹部２７は内側からの発光で陰影がなくなって目と口とが見えにくくなるとともに、文字や図柄などの視覚情報２３のみが鮮明に視認できるようになる。
【００２５】
なお、上記板状部２１の後面は不透光性を有する第２の飴部材２２ｂで覆われているので、押しボタン１２を押してＬＥＤ５を発光させても板状部２１に形成された文字や図形が裏側からは見えないので、特に文字の場合は裏返しになってメッセージが正しく読み取ることができないようなことはない。
【００２６】
上述の発光玩具によれば、表示体はメッセージを相手に伝えることができるとともに、飴として食することができるので、舐め終わってしまえば表示体の機能（第１の飴部材が提供する顔）は消失してしまうが、玩具本体は存続するので、ユーザーは新たな表示体を購入することになり、表示体が消耗品としての位置づけになり継続的な購買を期待することができる発光玩具を提供することができる。
【図面の簡単な説明】
【００２７】
【図１】（ａ）（ｂ）は本考案に係る発光玩具を構成する玩具本体と表示体とを説明する正面図
【図２】（ａ）（ｂ）は上記玩具本体の背面側斜視図及び上記表示体の正面側斜視図
【図３】上記玩具本体と表示体の要部縦断面図
【図４】上記発光玩具の電気的構成を説明するブロック図
【図５】（ａ）（ｂ）は上記発光玩具の使用態様を説明する正面図
【符号の説明】
【００２８】
５    発光手段
１３    差込孔
２０    棒部
２１    板状部
２２    飴部材
２３    視覚情報
Ａ    玩具本体
Ｂ    表示体
【図１】
0003116733.tif 000003
【図２】
0003116733.tif 000004
【図３】
0003116733.tif 000005
【図４】
0003116733.tif 000006
【図５】
0003116733.tif 000007